(57)【特許請求の範囲】
【請求項１】
開閉可能な開閉柵を有するベッドにおいて、
開閉柵の内側面に、ベッドからの又はベッドへの移乗時に使用者の膝を突き当てることができる柔軟素材からなる膝当て部を形成し、前記膝当て部は、開閉柵に柔軟素材からなる膝当てパッドを着脱可能に装着して構成したことを特徴とするベッド。
【請求項２】
前記膝当て部は、前記膝当てパッドを開閉柵の表裏いずれにも装着可能に構成したことを特徴とする請求項１に記載のベッド。
【請求項３】
前記開閉柵を開閉角度の途中で固定可能としたことを特徴とする請求項１又は請求項２に記載のベッド。
【請求項４】
前記開閉柵の先端上部に使用者が掴むことができる略球状に張出した掴み部を形成したことを特徴とする請求項１〜請求項３のいずれかに記載のベッド。
【請求項５】
前記開閉柵の上部に使用者が握ることができる握り部を形成するとともに、握り部の上面及び下面に凹凸状の滑り止めを形成したことを特徴とする請求項１〜請求項４のいずれかに記載のベッド。
【発明の詳細な説明】
【技術分野】
【０００１】
本発明は、開閉可能な開閉柵を有するベッドに関するものである。
【背景技術】
【０００２】
従来より、介護用等に多用されるベッドにおいては、ベッドフレームの側部に側柵を設けるとともに、側柵に開閉柵を開閉可能に設けた構成のベッドが広く利用されている（たとえば、特許文献１参照。）。
【０００３】
この開閉柵を有するベッドでは、使用者がベッドから車いす等への移乗や車いす等からベッドへの移乗する際に、ベッドの外方に向けて９０度回動させた開閉柵を手摺りとして使用している。
【先行技術文献】
【特許文献】
【０００４】
【特許文献１】特開２００６−５５５２９号公報
【発明の概要】
【発明が解決しようとする課題】
【０００５】
ところが、上記従来の開閉柵を有するベッドにおいては、移乗時に開閉柵を使用者が手摺り代わりに把持しただけの体勢となるために、移乗時の体重移動を円滑に行うことができず、特に筋力の弱い使用者が一人で移乗することが困難であり、移乗時に転倒や転落してしまうおそれがあった。
【課題を解決するための手段】
【０００６】
そこで、請求項１に係る本発明では、開閉可能な開閉柵を有するベッドにおいて、開閉柵の内側面に、ベッドからの又はベッドへの移乗時に使用者の膝を突き当てることができる柔軟素材からなる膝当て部を形成することにした。
【０００７】
また、請求項１に係る本発明では、前記膝当て部は、開閉柵に柔軟素材からなる膝当てパッドを着脱可能に装着して構成することにした。
【０００８】
また、請求項２に係る本発明では、前記請求項１に係る本発明において、前記膝当て部は、前記膝当てパッドを開閉柵の表裏いずれにも装着可能に構成することにした。
【０００９】
また、請求項３に係る本発明では、前記請求項１又は請求項２に係る本発明において、前記開閉柵を開閉角度の途中で固定可能とすることにした。
【００１０】
また、請求項４に係る本発明では、前記請求項１〜請求項３のいずれかに係る本発明において、前記開閉柵の先端上部に使用者が掴むことができる略球状に張出した掴み部を形成することにした。
【００１１】
また、請求項５に係る本発明では、前記請求項１〜請求項４のいずれかに係る本発明において、前記開閉柵の上部に使用者が握ることができる握り部を形成するとともに、握り部の上面及び下面に凹凸状の滑り止めを形成することにした。
【発明の効果】
【００１２】
そして、本発明では、以下に記載する効果を奏する。
【００１３】
すなわち、本発明では、開閉可能な開閉柵を有するベッドにおいて、開閉柵の内側面に、ベッドから車いすなどへの又は車いすなどからベッドへの移乗時に使用者の膝を突き当てることができる柔軟素材からなる膝当て部を形成しているために、移乗時に開閉柵を手摺りとして把持するだけでなく膝当て部に膝を突き当てることができるので、手だけでなく膝でも体重を支えることができ、膝が支点となるため腰を浮かす動作や移乗時の体重移動が円滑なものとなり、下肢の筋力の弱い或いは全く筋力のない使用者であっても容易にベッドから車いす等への移乗や車いす等からベッドへの移乗が容易なものとなる。
【００１４】
特に、開閉柵に柔軟素材からなる膝当てパッドを着脱可能に装着して膝当て部を構成することにした場合には、膝当てパッドを容易に交換や消毒等のメンテナンスをすることができる。
【００１５】
また、膝当てパッドを開閉扉の表裏いずれにも装着可能とした場合には、膝当て部を有する１個の開閉扉をベッドの左右いずれにも装着することができる。
【００１６】
また、開閉柵を開閉角度の途中で固定可能とした場合には、ベッドに対して開閉柵を開閉角度の途中の所定角度に旋回した位置で固定することができ、所定角度に旋回した開閉柵と膝当て部を利用して移乗することで、より一層移乗を容易なものとすることができる。
【００１７】
また、開閉扉の先端上部に使用者が掴むことができる略球状に張出した掴み部を形成した場合には、開閉柵を掴みながら身体の向きを容易に変えることができ、これによっても、一層移乗を容易なものとすることができる。
【００１８】
さらに、開閉柵の上部に使用者が握ることができる握り部を形成するとともに、握り部の上面及び下面に凹凸状の滑り止めを形成することにした場合には、移乗時に握り部を強固に把持することができ、これによっても、一層移乗を容易なものとすることができる。
【図面の簡単な説明】
【００１９】
【図１】本発明に係るベッドを示す平面図（ａ）、側面図（ｂ）。
【図２】開閉柵を示す正面図。
【図３】同背面図。
【図４】同左側面図。
【図５】同平面図。
【図６】同平面断面図。
【図７】開閉機構を示す正面図（ａ）、平面図（ｂ）。
【図８】開閉機構を示すＡ−Ａ断面図（ａ）、Ｂ−Ｂ断面図（ｂ）、Ｃ−Ｃ断面図（ｃ）。
【図９】開閉機構を示すＤ−Ｄ断面図（ａ）、Ｅ−Ｅ断面図（ｂ）。
【図１０】開閉機構の動作を説明する正面図（ａ）、側面断面図（ｂ）、平面断面図（ｃ）。
【図１１】開閉機構の動作を説明する正面図（ａ）、側面断面図（ｂ）、平面断面図（ｃ）。
【発明を実施するための形態】
【００２０】
以下に、本発明に係る開閉柵を有するベッドの具体的な構成について図面を参照しながら説明する。
【００２１】
図１に示すように、ベッド１は、ベッドフレーム２の側部に側柵３を着脱可能に取付けるとともに、側柵３の端部に開閉柵４を開閉機構５を介して開閉可能に取付けており、側柵３に開閉柵４を開閉機構５によって開閉角度の途中で固定できるようにしている。
【００２２】
開閉柵４は、図２〜図６に示すように、矩形板状の開閉柵本体６の上端部に使用者が握るための握り部７を水平棒状に形成するとともに、開閉柵本体６の左側（先端側）端部に使用者が掴むための掴み部８を略球状に形成し、さらに、開閉柵本体６の表下側部分に使用者が膝を突き当てるための膝当て部９を形成している。
【００２３】
開閉柵４の握り部７は、開閉柵本体６の上端部に使用者が両手で握ることができる長さ及び太さの棒状体10を形成するとともに、棒状体10の上面及び下面に周方向に伸延する突起11,12を長手方向に間隔をあけて形成することで、棒状体10の上面及び下面に凹凸状の滑り止め13,14を形成している。
【００２４】
開閉柵４の掴み部８は、開閉柵本体６に形成した棒状体10の左側端部に球状体15を開閉柵本体６の上面及び表裏面よりも張り出した状態で形成している。なお、球状体15は、開閉柵本体６の側面からは張り出さないようにしている。また、球状体15は、表面に凹凸状の滑り止めを形成するようにしてもよい。
【００２５】
ここで、掴み部８は、断面正円形の球状に形成しているが、断面楕円形の球状などとしてもよい。掴み部８を断面正円形の球状とすることで、掴みやすく力が入りやすくなるとともに、掴み部８を掴んだ手を捩じることなく手のひら内で回転させることができる。
【００２６】
開閉柵４の膝当て部９は、開閉柵本体６の表裏両面の下側部分に表裏一対の矩形状の凹部16,17を形成するとともに、表裏の凹部16,17を貫通する５個の貫通孔18a〜18eを左右に間隔をあけて形成し、開閉柵本体６の表側の凹部16に柔軟素材からなる膝当てパッド21を着脱可能に装着している。
【００２７】
この膝当てパッド21は、開閉柵本体６に形成した凹部16,17の深さと同等の厚みがあり、凹部16,17と同等の上下幅及び左右幅を有するパッド本体22と、パッド本体22の裏面に凹部16,17に形成した貫通孔18a〜18eの間隔と同等の間隔をあけて貫通孔18a〜18eと同等の長さに５個形成したパッド支持体23a〜23eとで構成している。なお、膝当て部９の凹部16,17及び貫通孔18a〜18eや膝当てパッド21のパッド本体22及びパッド支持体23a〜23eは、上下及び左右対称であって中心点を中心にして点対称な形状としている。
【００２８】
そのため、膝当てパッド21は、パッド支持体23a〜23eを貫通孔18a〜18eにそれぞれ挿通させることで、ねじ等の特別な部材を必要とせずに容易に装着することができ、しかも、開閉柵本体６の表裏いずれの凹部16,17にも着脱自在に装着することができるようになっている。特に、膝当てパッド21を点対称な形状とした場合には、上下や左右を気にすることなく容易に装着することができる。
【００２９】
この開閉柵４は、ベッド１の使用時や不使用時には閉じた状態としており、ベッド１から車いす等へ移乗する時や車いす等からベッド１へ移乗する時には開いた状態とし、移乗時の手摺りとして使用することができるようになっている。
【００３０】
そして、移乗時には、開閉機構５を用いて開閉柵４を閉じた状態から所定角度だけ開いた状態で回動しないように固定し、握り部７を両手で握ったり、或いは、掴み部８を片手で掴むとともに、膝当て部９に膝を突き当てて、その膝を支点として臀部を浮かして旋回させて、ベッド１と車いす等との間で移動方向にゆっくりと移動する。
【００３１】
その際に、握り部７や掴み部８には引っ張る方向に力が作用するため、膝当て部９が無いと反作用で下半身が開閉柵４の下側に脱落して転落するおそれがあるが、膝当て部９に膝を突き当てることで力のバランスがとれて身体をしっかりと支えることができ、移動方向に円滑に体重を移動させることができる。
【００３２】
このように、上記ベッド１は、開閉可能な開閉柵４の内側面（開閉柵本体６の表面）に、ベッド１からの又はベッド１への移乗時に使用者の膝を突き当てることができる柔軟素材からなる膝当て部９を形成した構成となっている。
【００３３】
そのため、上記構成のベッド１では、移乗時に開閉柵４を手摺りとして把持するだけでなく膝当て部９に膝を突き当てることができるので、手だけでなく膝でも体重を支えることができて、移乗時の体重移動が円滑なものとなり、筋力の弱い使用者であっても容易にベッド１から車いす等への移乗や車いす等からベッド１への移乗が容易なものとなる。なお、開閉柵４は、ベッド１に対して135度に完全に開いた状態や90度に開いた状態などとしてもよいが、ベッド１に対して約45度程度傾斜状に開いた状態とした方が移乗時に使用者の膝が左右順番に突き当たり移動したい方向へと案内されることになって体重移動の負荷が軽減されるとともに、前倒れや膝折れしにくく使用者に安心感を与えることがえきる。
【００３４】
また、上記ベッド１は、開閉柵４に柔軟素材からなる膝当てパッド21を着脱可能に装着して膝当て部９を構成している。
【００３５】
そのため、上記構成のベッド１では、膝当てパッド21を容易に交換や消毒等のメンテナンスをすることができる。
【００３６】
また、上記ベッド１は、膝当てパッド21を開閉柵４の表裏いずれにも装着可能に構成している。
【００３７】
そのため、上記構成のベッド１では、開閉柵４（側柵３）をベッド１のベッドフレーム２の左右いずれに装着した場合でも、膝当てパッド21を付け替えるだけでベッド１の内側面に膝当て部９を形成することができるので、膝当て部９を有する１個の開閉柵４をベッド１（ベッドフレーム２）の左右いずれにも装着することができる。
【００３８】
また、上記ベッド１は、開閉柵４を開閉角度の途中で固定可能に構成している。
【００３９】
そのため、上記構成のベッド１では、ベッド１に対して開閉柵４を開閉角度の途中の傾斜させた状態で固定することができ、傾斜する開閉柵４と膝当て部を利用して移乗することで、より一層移乗を容易なものとすることができる。
【００４０】
また、上記ベッド１は、開閉柵４の先端上部に使用者が掴むことができる球状に張出した掴み部８を形成した構成となっている。
【００４１】
そのため、上記構成のベッド１では、開閉柵４の掴み部８を掴みながら手首を捩じることなく安全に身体の向きを容易に変えることができ、これによっても、一層移乗を容易なものとすることができる。
【００４２】
さらに、上記ベッド１は、開閉柵４の上部に使用者が握ることができる握り部７を形成するとともに、握り部７の上面及び下面に凹凸状の滑り止め13,14を形成した構成となっている。
【００４３】
そのため、上記構成のベッド１では、移乗時に握り部７を強固に把持することができ、これによっても、一層移乗を容易なものとすることができる。
【００４４】
本発明では、開閉柵４を開閉角度の途中の傾斜させた状態で固定するための開閉機構５の構造は特に限定されるものではないが、図７〜図１１に示す開閉機構５を利用することができる。
【００４５】
この開閉機構５は、側柵３に形成した下側軸受26と上側軸受27との間に介設されている。
【００４６】
開閉柵４の基端部は、矩形板状の開閉柵本体６の基端側上部にアーム28の先端部を取付け、アーム28の基端部に軸支持体29を形成し、軸支持体29に回動軸30を下方に向けて取付け、回動軸30を側柵３の支持部の中空部に回動自在に挿通させている。
【００４７】
また、側柵３の支持部は、上側軸受27に複数の挿通孔31を円周方向に所定角度間隔で形成し、一方、開閉柵４の基端部は、軸支持体29に挿通孔31に対応する複数の係合溝32を円周方向に所定角度間隔で形成している。
【００４８】
開閉機構５は、側柵３の支持部の下側軸受26の上部及び上側軸受27の下部に円筒状のケーシング33を取付け、ケーシング33の外周部に円筒状の操作ハンドル34を上下方向に摺動自在かつ円周方向に回動自在に取付けている。
【００４９】
ケーシング33は、内側上部にスライダー収容空間35を形成し、スライダー収容空間35に円環状の回転スライダー36とスライダー37とを上下に重ねた状態で収容する一方、内側下部にスプリング収容空間38を形成し、スプリング収容空間38に回転スライダー36及びスライダー37を上方に向けて付勢するスプリング39を収容している。
【００５０】
操作ハンドル34は、回転スライダー36の外周部に左右一対のボルト40,40で締結している。このボルト40,40は、ケーシング33に形成した逆Ｌ字状のガイド孔41に挿通している。そのため、操作ハンドル34は、ガイド孔41に沿って円周方向へ向けた回動と上下方向へ向けた移動とができるようになっており、操作ハンドル34の回動及び移動に従って回転スライダー36も円周方向への回動と上下方向への移動とができるようになっている。なお、回転スライダー36とスライダー37とが上下に重なった状態でスプリング39によって付勢されているために、操作ハンドル34を回動させた場合には、回転スライダー36のみが回動し、操作ハンドル34を上下に移動させた場合には、回転スライダー36とともにスライダー37も上下に移動するようになっている。
【００５１】
回転スライダー36は、左右一対の上下に貫通するロックピン溝42,42を円周方向に向けて所定角度の円弧状に形成し、ロックピン溝42,42に開閉柵４の基端部の軸支持体29に形成した係合溝32に係合する左右一対のロックピン43,43を挿通するとともに、各ロックピン溝42に収容したスプリング44でロックピン43,43を操作ハンドル34の回動方向とは逆向きに付勢している。なお、スプリング44は、後述するようにロックピン43がケーシング33に対して円周方向に回動しないため、回転スライダー36及び操作ハンドル34をケーシング33に対して円周方向に付勢しており、このスプリング44の付勢力で回動操作後の回転スライダー36及び操作ハンドル34を操作方向とは逆方向に向けて復元させるようにしている。
【００５２】
また、回転スライダー36は、上下に貫通するホルダーピン溝45を円周方向に向けて所定角度の円弧状に形成し、開閉柵４の基端部の軸支持体29に形成した係合溝32にボール46を介して係合するホルダーピン47をホルダーピン溝45に挿通している。
【００５３】
スライダー37は、左右一対の上下に貫通する円形状のロックピン孔48,48を形成し、各ロックピン孔48にロックピン43の基端部を挿入し、ロックピン43の基端部を連結ピン49で連結している。この連結ピン49は、スライダー37の外周部に突出しており、ケーシング33に形成したＩ字状のガイド孔50に挿通させている。これにより、スライダー37及びロックピン43は、ケーシング33に対して上下方向には移動できるが円周方向には回動できないようになっている。
【００５４】
また、スライダー37は、側部中央に切欠状のカム収容空間51を形成し、カム収容空間51にカム52を回動軸53を中心に水平方向に回動可能に収容している。
【００５５】
このカム52は、スライダー37との間にスプリング54を介設するとともに、ホルダーピン47を挿通させる円形状のロック孔55を形成している。
【００５６】
一方、ホルダーピン47は、ケーシング33にスプリング56を介して上方に向けて付勢された状態で取付けられており、下端外周部にロック溝57が形成されている。
【００５７】
そして、スライダー37を下方に移動させると、ホルダーピン47のロック溝57にカム52のロック孔55が係入し、スプリング39の付勢力によるスライダー37（及び操作ハンドル34並びに回転スライダー36）の上方への移動を阻止するようにしている。図中、58はカム52を水平方向に移動可能とするためにケーシング33に形成した逃げ孔である。
【００５８】
開閉機構５は、以上に説明したように構成しており、ロックピン43の直上方に開閉柵４の基端部の係合溝32が位置する場合には、スプリング39の付勢力によってロックピン43の先端部が係合溝32に係合し、これにより、開閉柵４の回動が阻止される施錠状態となる。なお、施錠状態では、ホルダーピン47もボール46を介して係合溝32に係合している。
【００５９】
そして、開閉機構５は、施錠状態において操作ハンドル34を左回りに回動操作すると、ボルト40とともに回転スライダー36が回動して操作ハンドル34を下方に向けて移動操作できるようになり、その後、操作ハンドル34を下方に移動操作すると、操作ハンドル34に伴ってボルト40及び回転スライダー36並びにスライダー37が下方に移動する。これにより、スライダー37とともにロックピン43も下方に移動し、ロックピン43の先端部と係合溝32との係合状態が解消され、施錠状態が解錠されて開閉柵４の回動が自由となる解錠状態となる。
【００６０】
このときに、スライダー37とともにカム52も下方に移動し、ホルダーピン47のロック溝57にカム52のロック孔55が係入し、スプリング39の付勢力によるスライダー37（及び操作ハンドル34並びに回転スライダー36）の上方への移動が阻止され、解錠状態を保持することができる。このように、カム52及びホルダーピン47は、解錠状態を保持するための解錠保持手段として機能している。なお、解錠保持手段で解錠状態を保持している解錠保持状態においては、ホルダーピン47は依然としてボール46を介して係合溝32に係合している。
【００６１】
その後、回動が自由となった開閉柵４を回動させると、ボール46を介したホルダーピン47と係合溝32との係合状態が解消され、ボール46及びホルダーピン47が下方に向けて強制的に移動させられる。これにより、ホルダーピン47のロック溝57とカム52のロック孔55との係入状態が解消され、スプリング39の付勢力によってスライダー37（及び操作ハンドル34並びに回転スライダー36）が上方へ向けて移動できるようになり、スライダー37にともなってロックピン43も上方へ向けて移動できるようになる。
【００６２】
そして、ロックピン43の直上方に開閉柵４の基端部の係合溝32が位置するまで開閉柵４を回動させると、スプリング39の付勢力によって自動的にロックピン43が係合溝32に係合し、再び施錠状態となる。
【００６３】
この開閉機構５を用いることによって、開閉柵４を開閉角度の途中の傾斜させた状態で固定することができ、傾斜させた状態で固定した開閉柵４と膝当て部を利用してベッド１から又はベッド１へ移乗することで、体重移動の負荷が軽減されて、より一層移乗を容易なものとすることができる。
【符号の説明】
【００６４】
１  ベッド                        ２  ベッドフレーム
３  側柵                          ４  開閉柵
５  開閉機構                      ６  開閉柵本体
７  握り部                        ８  掴み部
９  膝当て部                      10  棒状体
11,12  突起                       13,14  滑り止め
15  球状体                        16,17  凹部
18a〜18e  貫通孔                  21  膝当てパッド
22  パッド本体                    23a〜23e  パッド支持体
26  下側軸受                      27  上側軸受
28  アーム                        29  軸支持体
30  回動軸                        31  挿通孔
32  係合溝                        33  ケーシング
34  操作ハンドル                  35  スライダー収容空間
36  回転スライダー                37  スライダー
38  スプリング収容空間            39  スプリング
40  ボルト                        41  ガイド孔
42  ロックピン溝                  43  ロックピン
44  スプリング                    45  ホルダーピン溝
46  ボール                        47  ホルダーピン
48  ロックピン孔                  49  連結ピン
50  ガイド孔                      51  カム収容空間
52  カム                          53  回動軸
54  スプリング                    55  ロック孔
56  スプリング                    57  ロック溝
58  逃げ孔
【要約】
【課題】ベッドから車いす等への移乗や車いす等からベッドへの移乗が安全で容易なベッドを提供すること。
【解決手段】本発明では、開閉可能な開閉柵(4)を有するベッド(1)において、開閉柵(4)の内側面に、ベッド(1)からの又はベッド(1)への移乗時に使用者の膝を突き当てることができる柔軟素材からなる膝当て部(9)を形成することにした。膝当て部(9)は、開閉柵(4)に柔軟素材からなる膝当てパッド(21)を着脱可能に装着して構成することにした。また、膝当て部(9)は、膝当てパッド(21)を開閉柵(4)の表裏いずれにも装着可能に構成することにした。また、開閉柵(4)を開閉角度の途中で固定可能としてもよく、開閉柵(4)の先端上部に使用者が掴むことができる略球状に張出した掴み部(8)を形成してもよく、さらには、開閉柵(4)の上部に使用者が握ることができる握り部(7)を形成するとともに、握り部(7)の上面及び下面に凹凸状の滑り止め(13,14)を形成してもよい。
【選択図】図２【図１】
0004802296.tif 000002
【図２】
0004802296.tif 000003
【図３】
0004802296.tif 000004
【図４】
0004802296.tif 000005
【図５】
0004802296.tif 000006
【図６】
0004802296.tif 000007
【図７】
0004802296.tif 000008
【図８】
0004802296.tif 000009
【図９】
0004802296.tif 000010
【図１０】
0004802296.tif 000011
【図１１】
0004802296.tif 000012